(57)【要約】【課題】  簡易な構成によって、被判定者の心理状態を正確かつ迅速に判定することを可能とする。【解決手段】  被判定者の自身を指すタイトルが付された自己表示エリア２の周囲を取り囲むようにして、特定の重要なライフスタイルのタイトルを付した固定表示エリア３と、被判定者が自らの意志に基づいて選択されるライフスタイルのタイトルが付される任意表示エリア４とを配置し、被判定者が色付けする場合における当該被判定者の意識のイメージ化を明確に行うことによって、より正確かつ迅速に被判定者の色付け作業および心理判定を行うようにしたもの。【選択図】    図１
2005304853.tif 000002
【特許請求の範囲】
【請求項１】
被判定者自身のライフスタイルを示す複数個の色付け作業エリアを有し、それらの各色付け作業エリアに対して前記被判定者が自らの意志によって各ライフスタイルに対応する色彩を付したものに基づいて、前記被判定者の現在の内心状態を判定する構成になされた心理判定用シートにおいて、
前記色付け作業エリアは、
前記被判定者自身を指すタイトルが予め記載され、そのタイトルに対応して前記被判定者により選択される色彩が付される自己表示エリアと、
その自己表示エリアの周囲を取り囲むように配置され、前記被判定者が自らの意志に基づいて決定したライフスタイルを指すタイトルが任意に記載されるとともに、そのライフスタイルに対応して前記被判定者により選択される色彩が付される複数個の任意表示エリアと、
前記自己表示エリアの周囲を取り囲むように配置され、予め記載された特定の重要なライフスタイルを指すタイトルに対応して前記被判定者により選択される色彩が付される複数個の固定表示エリアと、
を含むように構成されていることを特徴とする心理判定用シート。
【請求項２】
前記自己表示エリアの外周側の領域に、当該自己表示エリアを中心として前記複数個の任意表示エリアが同心環状に配置されているとともに、
それらの任意表示エリアの外周側に、前記複数個の固定表示エリアが同心環状に配置されていることを特徴とする請求項１記載の心理判定用シート。
【請求項３】
前記任意表示エリアと固定表示エリアとが、円周方向において交互に配置されていることを特徴とする請求項１または請求項２記載の心理判定用シート。
【請求項４】
前記任意表示エリアおよび固定表示エリアの少なくとも一方の外形枠線が、羽根形状をなすように構成されていることを特徴とする請求項１または請求項２記載の心理判定用シート。
【請求項５】
前記複数個の任意表示エリアおよび固定表示エリアは、前記自己表示エリアを中心として半径方向に密着した同心のリング状をなすように配置され、
それらの各任意表示エリアおよび固定表示エリアが、円周方向に複数個のエリアに分割されて区分けされた構造になされていることを特徴とする請求項１記載の心理判定用シート。
【請求項６】
前記複数個の任意表示エリアおよび固定表示エリアが、花弁形状の外形枠線を有していることを特徴とする請求項１記載の心理判定用シート。
【請求項７】
前記自己表示エリアが、樹木の幹部分に相当するように構成されているとともに、
前記任意表示エリアおよび固定表示エリアは、樹木の枝葉に相当するように構成されていることを特徴とする請求項１記載の心理判定用シート。
【発明の詳細な説明】
【技術分野】
【０００１】
本発明は、被判定者が自らの意志に基づいて好みの色彩を付することによって被判定者の内心状態を判定するように構成された心理判定用シートに関する。
【背景技術】
【０００２】
従来より、いわゆる色彩（カラー）セラピーと呼ばれる心理サービス分野などにおいて、心理判定用シートを用いて被判定者の現在の心理状態を判定することが行われている。その際に用いられる心理判定用シートは、紙面上に複数個の色付け作業エリアが予め記載されたものであり、それらの各色付け作業エリアに対して被判定者が自由に色付けし、その色付けを行った結果に基づいて当該被判定者の過去や未来に対する心理状態、顕在意識、無意識等についての判定を迅速かつ容易に行うようにしている。そして、このような心理判定用シートを用いた判定に基づいて、被判定者の生活に役立つアドバイスを的確かつ多角的に行うことが可能となる。
【０００３】
ところが、従来より使用されている心理判定用シートは、例えば下記の特許文献１のように、単純な図形の集合体からなるものであり、必ずしも被判定者の意志が正確に反映されているものとはいえず、しかも被判定者の色付け作業に対する意欲を高めるようなものでもない。
【０００４】
【特許文献１】特開２００２−３０６４５９
【発明の開示】
【発明が解決しようとする課題】
【０００５】
そこで本発明は、簡易な構造によって、被判定者の心理状態を正確かつ迅速に判定することができるようにした心理判定用シートを提供することを目的とする。
【課題を解決するための手段】
【０００６】
上記目的を達成するために本発明の請求項１にかかる心理判定用シートでは、被判定者自身のライフスタイルを示す複数個の色付け作業エリアを有し、それらの各色付け作業エリアに対して前記被判定者が自らの意志によって各ライフスタイルに対応する色彩を付したものに基づいて、前記被判定者の現在の内心状態を判定する構成になされた心理判定用シートにおいて、前記色付け作業エリアは、前記被判定者自身を指すタイトルが予め記載され、そのタイトルに対応して前記被判定者により選択される色彩が付される自己表示エリアと、その自己表示エリアの周囲を取り囲むように配置され、前記被判定者が自らの意志に基づいて決定したライフスタイルを指すタイトルが任意に記載されるとともに、そのライフスタイルに対応して前記被判定者により選択される色彩が付される複数個の任意表示エリアと、前記自己表示エリアの周囲を取り囲むように配置され、予め記載された特定の重要なライフスタイルを指すタイトルに対応して前記被判定者により選択される色彩が付される複数個の固定表示エリアとを含むように構成されている。
【０００７】
このような本発明の請求項１にかかる心理判定用シートによれば、自分の状態を基本的に表す自己表示エリアを中心として、任意表示エリアおよび固定表示エリアが取り囲むように配置されていることから、被判定者が色付けする場合における当該被判定者の意識のイメージ化が明確に行われることとなり、被判定者の色付け作業および心理判定が、より正確かつ迅速に行われるようになっている。
【０００８】
また、本発明の請求項２にかかる心理判定用シートでは、請求項１における自己表示エリアの外周側の領域に、当該自己表示エリアを中心として複数個の任意表示エリアが同心環状に配置されているとともに、それらの任意表示エリアの外周側に複数個の固定表示エリアが同心環状に配置されている。
【０００９】
このような本発明の請求項２にかかる心理判定用シートによれば、任意表示エリアおよび固定表示エリアが自己表示エリアを中心として同心状に配置されていることから、被判定者の意識のイメージ化がより一層明確に行われる。
【００１０】
さらに、本発明の請求項３にかかる心理判定用シートでは、請求項１または請求項２における任意表示エリアと固定表示エリアとが円周方向において交互に配置されている。
【００１１】
このような本発明の請求項３にかかる心理判定用シートによれば、任意表示エリアと固定表示エリアとの配置関係が、一定のリズムに基づくアクセントをもつこととなり、被判定者の色付け作業に対する意欲が高められるようになっている。
【００１２】
さらにまた、本発明の請求項４にかかる心理判定用シートでは、請求項１または請求項２における任意表示エリアおよび固定表示エリアの少なくとも一方の外形枠線が羽根形状をなすように構成されている。
【００１３】
このような本発明の請求項４にかかる心理判定用シートによれば、羽根形状を有するエリアによって、色付け作業エリアの全体に回転方向の動きを感じることとなるため、被判定者の色付け作業意欲が高められるようになっている。
【００１４】
一方、本発明の請求項５にかかる心理判定用シートでは、請求項１における自己表示エリアを中心として、複数個の任意表示エリアおよび固定表示エリアが、半径方向に密着した同心円の内部を円周方向に分割するように区分けされて配置されている。
【００１５】
このような本発明の請求項５にかかる心理判定用シートによれば、自分を示す自己表示エリアに付された色彩に対して、任意表示エリアおよび固定表示エリアの各項目に付された色彩が直接的に比較されることとなるため、より迅速かつ正確な心理判定が行われるようになっている。
【００１６】
また、本発明の請求項６にかかる心理判定用シートでは、請求項１における自己表示エリアを中心として、花弁形状を有する複数個の任意表示エリアおよび固定表示エリアが、同心の環状に取り囲むように配置されている。
【００１７】
このような請求項６にかかる心理判定用シートによれば、全体に彩色を施した後に、自分を示す自己表示エリアを中心として、世界に一つの花のようなイメージを与えることとなるため、現在の心理状態のイメージ化が良好に行われるようになっている。
【００１８】
さらに、本発明の請求項７にかかる心理判定用シートでは、請求項１における自己表示エリアが樹木の幹部分に相当するように構成されているとともに、任意表示エリアおよび固定表示エリアが樹木の枝葉に相当するように構成されている。
【００１９】
このような本発明の請求項７にかかる心理判定用シートによれば、特に任意表示エリアおよび固定表示エリアのエリア数を増やそうとする際に、樹木の形状に沿って、例えば両手を広げるように無理なく項目を増やしていくことが可能となる。
【発明の効果】
【００２０】
このように本発明にかかる心理判定用シートは、被判定者が自らの意志に基づいて決定したライフスタイルのタイトルが記載されて色付けされる複数個の任意表示エリアと、特定の重要なライフスタイルのタイトルが予め記載されて色付けされる複数個の固定表示エリアとを、被判定者の自身を指すタイトルが予め記載された自己表示エリアを中心として取り囲むように配置し、被判定者が色付けする場合における当該被判定者の意識のイメージ化を明確にして正確かつ迅速に被判定者の色付け作業および心理判定を行うように構成したものであるから、簡易な構造によって、被判定者の心理状態を正確かつ迅速に判定することができ、いわゆる色彩（カラー）セラピーなどの心理サービス分野において、適切なアドバイス等を的確かつ多角的に行うことができる。
【発明を実施するための最良の形態】
【００２１】
以下、本発明の実施形態を図面に基づいて詳細に説明する。
図１に示された本発明の第１の実施形態における心理判定用シート１においては、紙面略中央部分に、被判定者自身のライフスタイルを指す複数個の色付け作業エリア２，３，４が予め印刷により記載されている。これらの各色付け作業エリア２，３，４は、被判定者が、自らの意志に基づいて好みの色彩を付すためのものであって、その被判定者が色付けした後の結果に基づいて、当該被判定者の現在における内心の心理状態が判定されるようになっている。
【００２２】
これらの各色付け作業エリア２，３，４のうちの自己表示エリア２は、心理判定用シート１の略中央部分に配置された円形状の空白エリアから構成されたものであって、当該自己表示エリア２の中部側領域には、被判定者の自身を指すタイトル、つまり「自分」という文字が予め印刷により記載されている。そして、この自己表示エリア２に対しては、被判定者に、現在の自分自身を考えた場合の自己の心理状態に対応する色彩を付してもらうこととする。
【００２３】
なお、このときの被判定者による色付け作業は、色鉛筆などを使用した塗り作業により行っても良いし、予め用意した色チップ等の色片を該当するエリア上に載せることなどによって行うことも可能である。この色付け作業は、以下に説明する他の色付け作業エリアに対する色付け作業においても同様である。
【００２４】
次に、このような自己表示エリア２の外周囲を取り囲むようにして、任意表示エリア３および固定表示エリア４が、それぞれ同心の環状にて配置されている。これらのうちの任意表示エリア３は、円形状の外形枠を有する複数個（本実施形態では５個）の各空白エリアから構成されており、それらの各空白エリア内に、被判定者が自らの意志に基づいて決定されるライフスタイルのタイトルが任意に記入されるとともに、その記入したライフスタイルのタイトルに対応して被判定者により選択される色彩が色鉛筆などを用いて付されるようになっている。
【００２５】
そして、それらの各任意表示エリア３の外周縁部には、上述した自己表示エリア２の外周縁部からスパイラル状に延出する連絡線３ａが繋げられており、それらの各連絡線３ａによって自己表示エリア２との繋がり関係が強調されているとともに、それらの各連絡線３ａがスパイラル状をなすようにして延在していることによって、上記自己表示エリア２を中心とした回転方向の動きのリズム感が与えられている。
【００２６】
これらの各任意表示エリア３に記入されるライフスタイルのタイトルは、次に説明する固定表示エリア４に予め記載されたものとは異なるもの、例えば、「兄弟」、「家族」、「車」、「時計」、「音楽」、「家」などのようなものの中から選択・決定されて記入されるようになっている。
【００２７】
これに対して固定表示エリア４は、上述した任意表示エリア３の外周側の領域に同心の環状に配置されたものであって、羽根状の外形枠を有する空白エリア内に、予め選択された特定の重要なライフスタイルのタイトルが印刷により記載されている。これらの各固定表示エリア４の羽根状の外形枠は、上記自己表示エリア２を中心とした回転方向の動きのリズム感を与えるためのものである。
【００２８】
また、これらの固定表示エリア４に予め記載された重要なライフスタイルのタイトルとして、本実施形態では、「仕事」、「お金」、「友達」、「恋愛」および「休養」の５項目が選択されている。これらは、ほとんどの被判定者に対して共通するものであるからである。
【００２９】
さらに、これらの各固定表示エリア４は、前述した任意表示エリア３に対して、円周方向において交互の位置関係となるように配置されていて、当該各固定表示エリア４が、前記任意表示エリア３の連絡線３ａどうしの間部分から直線状に延出する連絡線４ａを介して前記自己表示エリア２に対して繋げられている。これらの各連絡線４ａは、前記任意表示エリア３の連絡線３ａどうしの間部分に放射状をなすよう延在しており、それらの各連絡線４ａによって自己表示エリア２との繋がりが強調されている。
【００３０】
このような本実施形態にかかる心理判定用シートによれば、自分の状態を基本的に表している自己表示エリア２を中心として、任意表示エリア３および固定表示エリア４が取り囲むように配置されていることから、被判定者が色付けする場合における当該被判定者の意識のイメージ化が明確に行われることとなり、より正確かつ迅速に被判定者の色付け作業および心理判定が行われるようになっている。
【００３１】
例えば「赤」の色彩を付した場合には、現在の被判定者の状態として積極的な心理状態である反面、攻撃的でもあり、色の塗り方においても、たとえば薄く塗る場合は、濃く塗る場合などの相違から性格の傾向を判断することができるなどである。このような色彩と心理状態との関係は、例えば特開２００２−３０６４５９の図２に示された関係や、その他の公知の多種多様な研究結果を利用することができる。
【００３２】
また本実施形態では、自己表示エリア２を中心として、複数個の任意表示エリア３および固定表示エリア４が同心の環状に配置されていることから、自己表示エリア２を中心とした被判定者の意識のイメージ化がより一層明確化されるようになっている。
【００３３】
さらに、本実施形態では、任意表示エリア３と固定表示エリア４とが円周方向において交互に配置されていることから、任意表示エリア３と固定表示エリア４とが一定のリズムをもったアクセントを有することとなり、被判定者の色付け作業意欲が高められるようになっている。
【００３４】
さらにまた、本実施形態では、固定表示エリア４の外形枠線が、羽根形状をなすように形成されていることから、その羽根形状を有する固定表示エリア４によって、色付け作業エリアの全体に回転方向の動きを感じることとなり、被判定者の色付け作業意欲が高められるようになっている。
【００３５】
次に、図２に示されている第２の実施形態では、中心に配置された円形状の外形枠線を有する自己表示エリア１２を中心として、複数個の任意表示エリア１３および固定表示エリア１４が、半径方向に密着した同心のリング状をなすように配置されている。そして、それらの任意表示エリア１３および固定表示エリア１４は、リング状の内部を円周方向に複数のエリアに分割するようにして区分けされた構造になされている。
【００３６】
このような第２の実施形態によれば、自分を示す自己表示エリア１２に付された色彩に対して、任意表示エリア１３および固定表示エリア１４の各項目に付された色彩が直接的に比較されることとなるため、より迅速かつ正確な心理判定が行われる。
【００３７】
また、図３に示されている第３の実施形態では、中心に配置された円形状の外形枠線を有する自己表示エリア２２を中心として、花弁形状を有する複数個の任意表示エリア２３および固定表示エリア２４が、同心の環状に取り囲むように配置されている。
【００３８】
このような第３の実施形態によれば、全体の彩色を施した後に、自分を示す自己表示エリア２２を中心として、世界に一つの花のようなイメージを与えることとなり、現在の心理状態のイメージ化が良好に行われるようになっている。
【００３９】
さらに、図４に示されている第４の実施形態では、自己表示エリア３２が、樹木の幹部分に相当するように構成されているとともに、任意表示エリア３３および固定表示エリア３４が樹木の枝葉に相当するように構成されている。
【００４０】
このような第４の実施形態によれば、特に任意表示エリア３３および固定表示エリア３４のエリア数を増やそうとする際に、樹木の形状に沿って、例えば両手を広げるように無理なく項目を増やしていくことが可能となる。
【００４１】
以上、本発明者によってなされた発明の実施形態を具体的に説明したが、本発明は、上記実施形態に限定されるものではなく、その要旨を逸脱しない範囲で種々変形可能であることはいうまでもない。
【００４２】
例えば、上述した実施形態では、自己表示エリア２を中心として任意表示エリア３と固定表示エリア４とを同心の環状にて交互に配置しているが、これらの各エリアをランダムな位置関係に配置することも可能である。
【００４３】
また、上述した各表示エリアの形状は、円形状や羽根形状に限定されることはなく、多種多様な形状を採用することが可能である。
【産業上の利用可能性】
【００４４】
以上述べた本発明にかかる心理判定用シートは、医療分野、心理療法分野、娯楽分野など、多種多様な産業分野において広く適用することが可能である。
【図面の簡単な説明】
【００４５】
【図１】本発明の一実施形態にかかる心理判定用シートの配置構造を表した平面説明図である。
【図２】本発明の他の実施形態にかかる心理判定用シートの配置構造を表した平面説明図である。
【図３】本発明のさらに他の実施形態にかかる心理判定用シートの配置構造を表した平面説明図である。
【図４】本発明のさらに他の実施形態にかかる心理判定用シートの配置構造を表した平面説明図である。
【符号の説明】
【００４６】
１  心理判定用シート
２，１２，２２，３２  自己表示エリア（色付け作業エリア）
３，１３，２３，３３  任意表示エリア（色付け作業エリア）
３ａ  連絡線
４，１４，２４，３４  固定表示エリア（色付け作業エリア）
４ａ  連絡線
【図１】
2005304853.tif 000003
【図２】
2005304853.tif 000004
【図３】
2005304853.tif 000005
【図４】
2005304853.tif 000006